(57)【要約】【課題】例えば、ダイレクトメールとして使用することができ、開封する前から同封された商品サンプルなどの内容物を視認することができ、受取人の注意を喚起して、そのまま捨てられてしまうような事態を少なくすることができる物品入り折り畳み封書を提供する。【解決手段】２片もしくはそれ以上の紙片１１，１２，１３を備えた用紙１０を折り線１４ｂ及び１４ａから折り畳むと共に、紙片間に物品１６を収納した状態で四周に開口する各紙片の周縁部を剥離可能に貼着してなる折り畳み封書において、当該封書１の表裏面となる２枚の紙片１１，１２に開口部１０ａ，１０ｃを設け、該開口部に透明フィルム１６を貼着する。【選択図】　　　　図２
2004106925.tif 000002
【特許請求の範囲】
【請求項１】
折り線を介して連続する少なくとも２片の紙片を備えた用紙を折り線から折り畳んで紙片間に物品を収納し、折り畳み状態において四周に開口する各紙片の周縁部を剥離可能に貼着してなる折り畳み封書において、
当該封書の表裏面を形成する両紙片の一方に開口部を備えていると共に、該開口部に貼着された透明フィルム製の袋の中に上記物品が収納されていることを特徴とする物品入り折り畳み封書。
【請求項２】
表裏面を形成する両紙片の他方と、他方側からの上記物品の視認を妨げる他の紙片に開口部が設けてあると共に、他方の紙片に形成された開口部には透明フィルムが貼着してあることを特徴とする請求項１記載の物品入り折り畳み封書。
【請求項３】
折り線を介して連続する少なくとも２片の紙片を備えた用紙を折り線から折り畳んで紙片間に物品を収納し、折り畳み状態において四周に開口する各紙片の周縁部を剥離可能に貼着してなる折り畳み封書において、
当該封書の表裏面を形成する両紙片と、表裏両面側からの上記物品の視認を妨げる他の紙片とに開口部が設けてあると共に、表裏面を形成する両紙片の開口部には透明フィルムが貼着してあることを特徴とする物品入り折り畳み封書。
【請求項４】
上記物品が透明フィルムによって紙片に固定されていることを特徴とする請求項３記載の物品入り折り畳み封書。
【発明の詳細な説明】
【０００１】
【発明の属する技術分野】
本発明は、封筒を使用することなく、商品サンプルなどを同封して郵送することができ、発送作業や、受け取り側での開封が容易な折り畳み封書に係わり、例えばダイレクトメールとして、商品の特徴を記載したパンフレットを折り畳んだ状態で、商品サンプルと共に、しかもサンプルが外から見える状態で郵送することができる物品入り折り畳み封書に関するものである。
【０００２】
【従来の技術】
例えば、デパートや販売店、商事会社などから、ダイレクトメールを消費者宛に発送するに当たっては、印刷されたパンフレットなどの書類を折り畳んだり、折り畳んだ書類を例えば、返信用はがきやアンケート用紙などと共に封筒に入れたりする作業が必要であり、このような作業は、自動化が難しく、通常手作業によって行なわれていることから、一般に数量が多くなることもあって、煩雑でかなり過酷な作業とならざるを得ない。
【０００３】
このような煩雑な手作業を解消するものとして、例えば実開平３−３６８８７号公報、あるいは実開平４−５３６４０号公報には、三つ折りあるいは四つ折りした用紙の周縁部を剥離可能に接着することにより、封筒を不要にすると共に、折り畳みや接着をも自動化することのできる封書用紙、あるいは折り畳み封筒が提案されている。
【０００４】
【発明が解決しようとする課題】
このようなダイレクトメールにおいては、宣伝効果を大きなものとするために、商品サンプルや、場合によっては商品説明の画像データや、音楽やプログラムのサンプルソフトを盛り込んだＣＤ−ＲＯＭなどを同封することも考えられ、実際に行われてもいるが、特になじみのない差出人からのダイレクトメールの場合には、開封することなく捨てられてしまう可能性が高く、差出人の折角の出費が無駄に終わることがないとも言えないことから、受取人に如何に興味を持たせて開封させるかということがこのようなダイレクトメールにおける課題のひとつとなっていた。
【０００５】
本発明は、ダイレクトメールとしての折り畳み封書における上記課題に着目してなされたものであって、開封する前から同封された内容物を視認することができ、受取人の注意を喚起して、そのまま捨てられてしまうような事態を少なくすることができる物品入り折り畳み封書を提供することを目的としている。
【０００６】
【課題を解決するための手段】
本発明に係わる折り畳み封書は、例えば商品サンプルなどの品物を同封したものであって、折り線を介して連続する少なくとも２片の紙片を備えた用紙を折り線から折り畳んで紙片間に物品を収納し、折り畳み状態において四周に開口する各紙片の周縁部を剥離可能に貼着してなる折り畳み封書において、当該封書の表裏面を形成する両紙片の一方に開口部を備えていると共に、該開口部に貼着された透明フィルム製の袋の中に上記物品が収納されている構成とし、当該折り畳み封書の好適な実施形態としては、表裏面を形成する両紙片の他方と、他方側からの上記物品の視認を妨げる他の紙片に開口部が設けてあると共に、他方の紙片に形成された開口部には透明フィルムが貼着してある構成としたことを特徴としており、物品入り折り畳み封書におけるこのような構成を前述した従来の課題を解決するための手段としている。
【０００７】
また、本発明の他の請求項に係わる物品入り折り畳み封書は、折り線を介して連続する少なくとも２片の紙片を備えた用紙を折り線から折り畳んで紙片間に物品を収納し、折り畳み状態において四周に開口する各紙片の周縁部を剥離可能に貼着してなる折り畳み封書において、当該封書の表裏面を形成する両紙片と、表裏両面側からの上記物品の視認を妨げる他の紙片とに開口部が設けてあると共に、表裏面を形成する両紙片の開口部には透明フィルムが貼着してある構成とし、当該折り畳み封書の好適形態としては、上記物品が透明フィルムによって紙片に固定されている構成としたことを特徴としている。
【０００８】
【発明の作用】
本発明に係わる物品入り折り畳み封書は、２片もしくはそれ以上の紙片を備えた用紙を折り線から折り畳むと共に、紙片間に物品を収納した状態で四周に開口する各紙片の周縁部を剥離可能に貼着してなり、当該封書の表裏面となる２枚の紙片の少なくとも一方に開口部を設けると共に、当該開口部からの物品の視認の障害となる他の紙片にも必要に応じて開口部を設け、表裏面となる両紙片の開口部に透明フィルムを貼着したり、当該開口部に貼着した透明フィルム製の袋の中に上記物品を収納したりするようにしているので、受け取った側では、開口部を通して同封された物品が開封前に視認されることになり、誤って捨てられてしまうような事態が防止されることとなる。したがって、このような封書をダイレクトメールに適用した場合には、同封された内容物、例えば商品サンプルやデモ用のＣＤ−ＲＯＭなどの存在が開封しなくても受取人に確認されることから、受取人の興味を喚起して開封させることができ、そのまま捨てられてしまう可能性が少なくなって、ダイレクトメールとしてのアピール効果が大幅に向上することになる。
【０００９】
そして、当該折り畳み封書においては、封筒を使用していないので、資源の無駄がなくなると共に、開封に際してはさみやナイフを必要とせず、開封が容易になるばかりでなく、切屑などのごみも発生しない。
【０００１０】
【発明の実施の形態】
本発明に係わる折り畳み封書においては、その寸法について特に限定されるものではないが、例えば幅９０〜１２０ｍｍ、長さ１４〜２３．５ｍｍの定形郵便物サイズとすれば、２５ｇまで８０円、２５ｇを超えても５０ｇまでは９０円という比較的安価な料金で郵送することができる。また、長さ６００ｍｍ、長さ、幅、厚さの合計が９００ｍｍを超えない限り、定形外郵便物として、重量に応じた料金、例えば５０ｇまでならば、１３０円で郵送することができる。
【００１１】
また、折り畳み状態で四周に開口する各紙片の周縁部を剥離可能に貼着するための接着剤としては、郵送途中で剥がれることなく、しかも受取人による開封に際して用紙が破れたり、印刷がかすれたりすることなく剥離できる程度の接着強度が要求される。このような接着剤としては、例えばポリオレフィン系共重合樹脂１０〜２０％、酢酸ビニル系樹脂２０〜３０％、水５０〜６０％、添加剤１％以下の組成を備えた接着剤を使用することができる。このとき、上記成分調整のほかに、接着剤の塗布パターンを例えばドット状や縞状、網目状としたり、その塗布密度を調整したりすることによって接着強度を加減することができる。
【００１２】
紙片間に収納される品物として、種々のものが考えられるが、ダイレクトメールの場合には、調味料、健康食品、嗜好品、洗剤、医薬品、化粧品などのサンプル（試供品）を同封することができ、各紙片周縁部の貼着に際して熱や圧力が加わらないようにすれば、上記のようなものでも変質したり、包装が破れて内容物が漏れ出したりするような不都合を防止することができる。また、企業説明や商品説明の画像データ、あるいはサンプルソフトなどのＣＤ−ＲＯＭなどを同封することもできる。
【００１３】
また、特にダイレクトメールにおいては、当該封書の表裏面となる両紙片と共に、必要に応じて他の紙片にも開口部を設けることによって、同封された商品サンプルなどが当該封書の表裏両側から視認できるようにすることも望ましく、これによってダイレクトメールとしてのアピール効果をさらに向上させることができる。
【００１４】
上記の同封物品は、封書内での移動を防止し、常に開口部から見える位置に保持しておく観点から、開口部に貼着された透明フィルム製の袋の中に収納しておくことが望ましい。また、透明フィルム製の袋を用いない場合には、同様に移動を防止すると共に、外部からの視認を妨げないように透明フィルムによって、紙片の開口部の近傍部に固定しておくことが望ましい。
【００１５】
このような開口部の形状としては、四角形や円形のみに限らず、楕円形、星型、多角形、ハート型を始めとする種々のデザインを選定することができ、ダイレクトメールとしての意匠性を向上させることができる。
【００１６】
【実施例】
以下、本発明を実施例に基づいて具体的に説明する。
【００１７】
（実施例１）
図１ないし図３は、本発明に係わる物品入り折り畳み封書の第１の実施例として、商品サンプルを同封したダイレクトメール用封書の構造および製造手順を説明するものであって、図１（ａ）は当該実施例に係わる折り畳み封書に用いる用紙の折り畳み前の一面側（外面となる側）を示す平面図、図１（ｂ）はその裏面側（内面となる側）を示す背面図である。
【００１８】
この用紙１０は、例えばロール状に巻き取られた原紙、もしくは枚葉の用紙の表裏両面に、所定の印刷を施したのち、所定位置に後述するような接着剤を塗布して強制乾燥し、所定のサイズに裁断し、さらに窓となる開口部を打ち抜いたのち、透明フィルムを貼ったものであって、当該用紙１０は、紙片１１，１２および１３が折り線１４ａおよび１４ｂを介してこの順序に連続した形状を備え、各紙面の両面には、このダイレクトメールの目的に応じた記事、例えば同封する商品サンプルの説明などが印刷されている。なお、用紙１０の大きさは、第１および第２の紙片１１および１２がいずれも１２０ｍｍ×１９０ｍｍ、第３の紙片１３は４０ｍｍ×１９０ｍｍ（用紙１０の全体では２８０×１９０ｍｍ）となっている。
【００１９】
第１の紙片１１の外側紙面１１ａは、宛名書き面となる紙面であって、当該紙面１１ａには、図１（ａ）に示すように料金別納郵便である旨の表示と共に、郵便番号の記入欄が印刷されており、この第１の紙片１１の中央部やや下寄りの位置には、楕円形をなす第１の窓１０ａ（開口部）が打ち抜いてあると共に、右下コーナー部には、開封時の剥離が容易に行われるように、角落し部１０ｂが形成されている。なお、前記窓１０ａには、図１（ｂ）に示すように裏面側から透明フィルム１５が貼ってある。
【００２０】
第２の紙片１２の中央部やや下寄りの位置には、この実施例ではハート型をなす窓１０ｃ（開口部）が打ち抜いてあり、同様に、図１（ｂ）に示すように裏面側から透明フィルム１５が貼ってある。
【００２１】
第３の紙片１３は、上記のように第１、第２の紙片よりも小さく形成してあり、その外側紙面１３ａの上下および図中右側の周縁部には、ポリオレフィン系共重合樹脂１６％、酢酸ビニル系樹脂２６％、添加剤１％、水５７％からなる接着剤を所定の密度の網目状に塗布したのち、強制乾燥することによって、いったん接着したのち、所定の引張り力によって剥離可能な接着剤層Ａが形成されている。
【００２２】
一方、用紙１０の裏面側（内側）においては、図１（ｂ）に示すように、紙面１１ｂ，１２ｂおよび１３ｂの上下周縁部および紙面１１ｂの図中左側の周縁部に、上記同様の接着剤層Ａが形成されている。
【００２３】
このような用紙１０に物品（商品サンプル）を収納して折り畳み、封書を形成するには、まず、図２（ａ）に示すように、用紙１０の内面側を上に向けた状態で、第２の紙片１２に形成した窓１０ｃの上に、商品サンプル１６を載置して、透明フィルム１７によって当該商品サンプル１６が移動しないように、紙面１２ｂ上に固定する。
【００２４】
次に、図２（ｂ）に示すように、第３の紙片１３を折り線１４ｂから折り曲げ、紙片１３を紙片１２の上に折り重ねたのち、第１の紙片１１を折り線１４ａから折り曲げ、紙片１２およびその上に重ねた紙片１３の上に折り重ねることによって、図２（ｃ）に示すように、三つ折り状態の用紙１０が得られる。
【００２５】
そして、図３（ｄ）に示すように、１８０〜２００℃程度に加熱され、所定の間隔、すなわち折り畳み状態の用紙１０の幅より僅か（例えば１０ｍｍ程度）に小さい間隔に平行に配置した上下２本の加熱バー５０の間に、三つ折りにした用紙１０を通すことによって、その両端縁が剥離可能に貼着される。続いて、用紙１０の方向を９０°回転させた状態で次工程に搬送し、用紙の長さ寸法に合わせた間隔に配置された第２の加熱バーの間を通すことによって、同様に用紙１０の上下端縁部が剥離可能に貼着される。
【００２６】
このとき、各紙片１１〜１３の周縁部のみが加熱圧着され、商品サンプル１６が収納された紙片の中央部には、熱も加圧力もほとんど加わらないので、商品サンプル１６が潰れたり、変質したりすることがなく、食料品や化粧品、医薬品といったような品物でも、何ら支障なく封入することができ、問題なく郵送することができる。
【００２７】
図３（ｅ）および（ｆ）は、上記によって完成した物品入り折り畳み封書１の表裏両面を示すものであって、図３（ｅ）に示すように、用紙１０の宛名書き紙面１１ａ上に、送付先の住所、氏名、郵便番号などがインクジェットプリンターによって印字される。そして、当該封書１の表面側からは、図３（ｅ）に示すように、窓１０ａに貼着された透明フィルム１５を通して、また裏面側からは、図３（ｆ）に示すように、窓１０ｃに貼着された透明フィルム１５を通して、商品サンプル１６の存在をそれぞれ視認することができる。また、表面側には、右下コーナー部に形成された角落し部１０ｂから第１の紙片１１を容易に剥離することができ、はさみやナイフを用いることなく、開封を速やかに行なうことができる。なお、当該封書１は、厚さが１０ｍｍを超えず、重さが２５ｇ以内であれば、８０円で郵送することができる。
【００２８】
また、上記実施例においては、接着剤層Ａを用紙１０の表裏両面、すなわち表面側紙面１３ａの上下および右側周縁部と、裏面側紙面１１ｂ，１２ｂおよび１３ｂの上下周縁部と、紙面１１ｂの左側周縁部に形成し、剥離可能に貼着すべき面の両面に接着材を塗布するようにしているが、接着剤強度あるいは接着材の塗布密度を調整することによって、用紙１０の片面側、つまり裏面側のみに接着剤層Ａを形成するようになすこともできる。
【００２９】
さらに、上記の実施例においては、３枚の紙片１１，１２，１３からなる用紙１０を三つ折りに畳んだ封書の例を示したが、三つ折りのみに限定される訳ではなく、二つ折りや、四つ折り以上の紙面のものにも適用できることは言うまでもない。ただし、この場合、表裏両面を形成する紙片以外の紙片によって、折り畳み状態において、表面及び裏面側から商品サンプル１６が見えなくなるような場合には、その紙片にも開口部を予め形成しておく必要がある。
【００３０】
（実施例２）
図４ないし図６は、本発明に係わる物品入り折り畳み封書の第２の実施例を説明するものであって、図４（ａ）は当該実施例に係わる折り畳み封書に用いる用紙の折り畳み前の一面側（外面となる側）を示す平面図、図４（ｂ）はその裏面側（内面となる側）を示す背面図である。
【００３１】
当該実施例に用いる用紙２０は、上記実施例と同様に印刷、接着剤塗布、裁断、打ち抜き及び透明フィルムの貼着を行ったものであって、上記実施例と同じ大きさのものであって、用紙２０は、紙片２１，２２および２３が折り線２４ａ及び２４ｂを介してこの順序に連続した形状を備え、各紙面の両面には、このダイレクトメールの目的に応じた記事、例えば同封する商品サンプルの説明などが印刷されている。
【００３２】
第１の紙片２１の外側紙面２１ａは、宛名書き面となる紙面であって、当該紙面２１ａには、図４（ａ）に示すように料金別納郵便である旨の表示と共に、郵便番号の記入欄が印刷されており、右下コーナー部には、開封時の剥離が容易に行われるように、角落し部２０ａが形成されている。
【００３３】
第２の紙片２２の中央部やや下寄りの位置には、楕円形をなす窓２０ｂ（開口部）が打ち抜いてあり、この窓２０ｂには、図４（ｂ）に示すように裏面側から透明フィルム製の袋２５が貼ってある。
【００３４】
そして、第３の紙片２３の外側紙面２３ａの上下および図中右側の周縁部、および第１、第２紙片２１、２２の紙面２１ｂ，２２２ｂおよび２３ｂの上下周縁部および紙面２１ｂの図中左側の周縁部には、上記実施例と同様の接着剤が同様に塗布されており、接着剤層Ａが形成されている。
【００３５】
このような用紙２０に物品（商品サンプル）を収納して折り畳み、封書を形成するには、まず、図５（ａ）に示すように、用紙２０の内面側を上に向けた状態で、第２の紙片２２に形成した窓２０ｂに貼着した透明フィルム製の袋２５の中に、商品サンプル２６を収納する。
【００３６】
次に、図５（ｂ）に示すように、第３の紙片２３を折り線２４ｂから折り曲げ、紙片２３を紙片２２の上に折り重ねたのち、第１の紙片２１を折り線２４ａから折り曲げ、紙片２２およびその上に重ねた紙片２３の上に折り重ねることによって、図５（ｃ）に示すように、三つ折り状態の用紙２０が同様に得られる。
【００３７】
そして、図６（ｄ）に示すように、例えば１８０〜２００℃程度に加熱され、所定の間隔、すなわち折り畳み状態の用紙１０の幅より僅かに小さい間隔に配置した２対の加熱ローラ５１の間に、三つ折りにした用紙２０を通すことによって、その両端縁が剥離可能に貼着される。続いて、用紙２０の方向を９０°回転させた状態で次工程に搬送し、用紙の長さ寸法に合わせた間隔に配置された第２の加熱ローラ間を通すことによって、同様に用紙２０の上下端縁部が剥離可能に貼着される。もちろん、図３（ｄ）に示したような加熱バー５０を用いることもできる。
【００３８】
図６（ｅ）および（ｆ）は、上記の工程によって完成した物品入り折り畳み封書１の表裏両面を示すものであって、図６（ｅ）に示すように、用紙２０の宛名書き紙面２１ａ上に、送付先の住所、氏名、郵便番号などがインクジェットプリンターによって印字される。そして、当該封書１の裏面側からは、図６（ｆ）に示すように、窓２０ｂに貼着された袋２５の透明フィルムを通して、商品サンプル２６の存在を視認することができる。
【００３９】
この実施例においては、折り畳み封書１の裏面側を形成する紙片２２のみに開口部２０ｂを設けた例を示したが、第１の実施例と同様に、表面側紙片２１にも開口部を形成し、透明フィルムを貼着しておくことももちろん可能であり、これによって、同封された商品サンプル２６を当該封書１の表裏両面から視認することができるようになる。
【００４０】
（実施例３）
図７及び図８は、本発明に係わる物品入り折り畳み封書の第３の実施例として、ＣＤ−ＲＯＭを同封したダイレクトメール用封書の構造および製造手順を説明するものであって、図７（ａ）は当該封書に用いる用紙の折り畳み前の一面側（外面となる側）を示す平面図、図７（ｂ）はその裏面側（内面となる側）を示す背面図である。
【００４１】
この用紙３０は、例えばロール状に巻き取られた原紙、もしくは枚葉の用紙の表裏両面に、所定の印刷を施したのち、所定位置に後述するような接着剤を塗布して強制乾燥し、所定のサイズに裁断し、さらに窓となる開口部を打ち抜いたのち、最表面に位置する紙片の開口部に透明フィルムを貼ったものであって、当該用紙３０は、紙片３１，３２および３３が折り線３４ａおよび３４ｂを介してこの順序に連続した形状を備え、各紙面の両面には、このダイレクトメールの目的に応じた記事、例えば同封したＣＤ−ＲＯＭの内容や、その取り扱い方法の説明などが印刷されている。なお、用紙３０の大きさは、第１および第２の紙片３１および３２がいずれも１２１ｍｍ×１９０ｍｍ、第３の紙片３３は１００ｍｍ×１９０ｍｍ（用紙３０の全体では３４２×１９０ｍｍ）となっている。
【００４２】
第１の紙片３１の外側紙面３１ａは、当該折り畳み封書１の宛名書き面（表面側）となる紙面であって、当該紙面３１ａには、図７（ａ）に示すように料金別納郵便である旨の表示と共に、郵便番号の記入欄が印刷されており、この第１の紙片３１の中央部やや下寄りの位置には、楕円形をなす第１の窓３０ａ（開口部）が打ち抜いてあると共に、右下コーナー部には、開封時の剥離が容易に行われるように、角落し部３０ｂが形成されている。
【００４３】
第２の紙片３２の外側紙面３２ａは、は、当該折り畳み封書１の裏面側となる紙面であって、この第２の紙片３２の中央部やや下寄りであって、前記第１の紙片３１の窓３０ａに相当する位置には、同様の楕円形をなす第２の窓３０ｃ（開口部）が打ち抜いてある。なお、これら第１及び第２の窓３０ａ及び３０ｃには、図７（ｂ）に示すように裏面側から透明フィルム１５がそれぞれ貼ってある。
【００４４】
第３の紙片３３は、上記のように第１、第２の紙片よりもやや小さく形成してあり、当該第３の紙片３３にも、前記窓３０ａ及び３０ｃに相当する位置に、第３の窓３０ｄ（開口部）が打ち抜いてある。
【００４５】
一方、用紙３０の裏面側（内側）においては、図７（ｂ）に示すように、紙面３１ｂ及び３２ｂの上下周縁部および紙面３１ｂの図中左側の周縁部に、上記各実施例と同様の成分の接着剤を所定密度のドット状に塗布したのち、強制乾燥することによって、接着剤層Ａが形成されている。
【００４６】
このような用紙３０にＣＤ−ＲＯＭ３５を収納して折り畳み、封書を形成するには、まず、図７（ｃ）に示すように、用紙３０の内面側を上に向けた状態で、中央に位置する第２の紙片３２の紙面３２ｂの中央部に、その一部が窓３０ａに重なるようにＣＤ−ＲＯＭ３５を載置する。そして、ＣＤ−ＲＯＭ３５の直径方向に透明フィルムシート３６を掛け渡し、両端部を紙面３２ｂに貼り付けることによって当該ＣＤ−ＲＯＭを第２の紙片３２に固定する。
【００４７】
次に、図８（ｄ）に示すように、第３の紙片３３を折り線３４ｂから折り曲げ、紙片３３をＣＤ−ＲＯＭ３５の上に折り重ねたのち、図８（ｅ）に示すように、さらに第１の紙片３１を折り線３４ａから折り曲げ、ＣＤ−ＲＯＭ３５の上に折り重ねた紙片３３の上に折り重ねることによって、ＣＤ−ＲＯＭ３５を包み込んだ状態に三つ折りされた用紙３０が得られる。
【００４８】
そして、折り畳み状態の用紙３０を前記実施例に示したように、適当な圧着機にかけて加熱することにより、四周に開口する各紙片の周縁部が接着剤層Ａによって互いに剥離可能に貼着され、図８（ｆ）に示すような物品入り折り畳み封書１が完成する。
【００４９】
このような折り畳み封書１においては、開封しなくてもその表裏両面から、同封のＣＤ−ＲＯＭ３５が見え、特に裏面側からは窓３０ｃを通してＣＤ−ＲＯＭ３５の反射面が覗くことから、極めて目立った存在となり、ダイレクトメールとしてのアピール力がさらに向上することになる。また、前記窓３０ａ及び３０ｃには、透明フィルム１５が貼着されているので、当該封書１の内容物がこぼれ出たり、異物が入り込んだりすることがない。
【００５０】
【発明の効果】
以上説明してきたように、本発明に係わる物品入り折り畳み封書は、上記構成、すなわち連続する２片以上の紙片を備えた用紙を折り線から折り畳み、紙片間に物品を収納した状態で、四周に開口する各紙片の周縁部のみを剥離可能に貼着すると共に、当該封書の表裏面となる２枚の紙片の少なくとも一方に透明フィルムを貼着したり、透明フィルムからなる物品収納用の袋を貼着したりしたものであるから、同封された内容物が開封しなくても受取人に視認されることから、このような封書をダイレクトメールに適用することにより、商品サンプルやデモ用のＣＤ−ＲＯＭなどの存在を受取人に認識させることができ、折角のダイレクトメールが読まれずに捨てられてしまうという最悪のケースを避けることができ、ダイレクトメールとしての効果を大幅に向上させることができるという優れた効果がもたらされる。
【図面の簡単な説明】
【図１】（ａ）　本発明の第１の実施例に係わる物品入り折り畳み封書に用いる用紙の形状を示す平面図である。
（ｂ）　図１（ａ）に示した折り畳み封書用紙の裏面側を示す背面図である。
【図２】（ａ）ないし（ｃ）は本発明の第１の実施例に係わる物品入り折り畳み封書の作成手順を示す工程図である。
【図３】本発明の第１の実施例に係わる折り畳み封書の図２（ｃ）以降の作製手順を示す工程図である。
【図４】（ａ）　本発明の第２の実施例に係わる物品入り折り畳み封書に用いる用紙の形状を示す平面図である。
（ｂ）　図４（ａ）に示した折り畳み封書用紙の裏面側を示す背面図である。
【図５】（ａ）ないし（ｃ）は本発明の第２の実施例に係わる物品入り折り畳み封書の作成手順を示す工程図である。
【図６】本発明の第２の実施例に係わる折り畳み封書の図５（ｃ）以降の作製手順を示す工程図である。
【図７】（ａ）　本発明の第３の実施例に係わる物品入り折り畳み封書に用いる用紙の形状を示す平面図である。
（ｂ）　図７（ａ）に示した折り畳み封書用紙の裏面側を示す背面図である。
（ｃ）　本発明の第３の実施例に係わる物品入り折り畳み封書の作成手順を示す工程図である。
【図８】本発明の第３の実施例に係わる折り畳み封書の図７（ｃ）以降の作製手順を示す工程図である。
【符号の説明】
１　物品入り折り畳み封書
１０，２０，３０　用紙
１０ａ，１０ｃ，２０ｂ，３０ａ，３０ｃ，３０ｄ　窓（開口部）
１１，１２，１３，２１，２２，２３，３１，３２，３３　紙片
１４ａ，１４ｂ，２４ａ，２４ｂ，３４ａ，３４ｂ　折り線
１５，１７，３６　透明フィルム
１６，２６　商品サンプル（物品）
２５　透明フィルム製の袋
３５　ＣＤ−ＲＯＭ
【図１】
2004106925.tif 000003
【図２】
2004106925.tif 000004
【図３】
2004106925.tif 000005
【図４】
2004106925.tif 000006
【図５】
2004106925.tif 000007
【図６】
2004106925.tif 000008
【図７】
2004106925.tif 000009
【図８】
2004106925.tif 000010